(57)【特許請求の範囲】
【請求項１】
鏡を固定部材を介してミラーキャビネット本体へ固定する鏡の取付構造であって、
該固定部材は、鏡の下端が当接する鏡載せ部と、該鏡載せ部の後端縁から上方へ一体状に突出した裏面部と、該鏡載せ部の前端縁から上方へ一体状に突出した表面部とからなり、
前記鏡載せ部は、鏡の横幅方向全域に亘って設けられ、かつ該鏡載せ部の前面は、鏡を鏡載せ部へ載置した状態で鏡の表面と面一になるよう設定され、
前記表面部は、鏡の横幅方向の一部のみに設けられ、
前記裏面部をミラーキャビネット本体へ取り付け、鏡の下端を前記裏面部と前記表面部との間に差し込んで鏡載せ部へ載置してミラーキャビネット本体へ固定することを特徴とする鏡の取付構造。
【発明の詳細な説明】
【技術分野】
【０００１】
本発明は、ミラーキャビネットに鏡を固定する鏡の取付構造に関するものである。
【背景技術】
【０００２】
従来、特許文献１に開示されているように、鏡の下端側を、２個所にフックを用いてミラーキャビネットに固定する鏡の固定構造が存在する。
【特許文献１】特開２０００−２９６０６６号公報
【発明の開示】
【発明が解決しようとする課題】
【０００３】
特許文献１の構造では、鏡の下端を固定するために用いられるフックに形成されている挿入部を、ミラーキャビネットの背面取付部材に形成したフック係止孔へ嵌合装着することにより鏡が固定されるものであり、そのような構造では、キャビネット本体側に長孔状のフック係止孔を加工する必要があり、加工が面倒であるという問題点があった。
また、鏡の下端とミラーキャビネット本体との間に、フックの厚み分の隙間が生じてしまうため、見栄えが悪く、隙間にホコリなどが入ってしまうという問題があった。
また、鏡の幅方向全域に亘る横長状の固定部材で鏡の下端前面の全域をキャビネット側へ押さえ込む構造のものでは、横長状の固定部材の上面や固定部材と鏡の間にゴミが溜まりやすく、清掃性が悪くなるという問題点があった。
【課題を解決するための手段】
【０００４】
本発明は、清掃性に優れ、また、取付状態の意匠性も向上する鏡の取付構造を提供することを目的の１つとし、この目的の少なくとも一部を達成するために以下の手段を採った。
本発明は、鏡を固定部材を介してミラーキャビネット本体へ固定する鏡の取付構造であって、
該固定部材は、鏡の下端が当接する鏡載せ部と、該鏡載せ部の後端縁から上方へ一体状に突出した裏面部と、該鏡載せ部の前端縁から上方へ一体状に突出した表面部とからなり、
前記鏡載せ部は、鏡の横幅方向全域に亘って設けられ、かつ該鏡載せ部の前面は、鏡を鏡載せ部へ載置した状態で鏡の表面と面一になるよう設定され、
前記表面部は、鏡の横幅方向の一部のみに設けられ、
前記裏面部をミラーキャビネット本体へ取り付け、鏡の下端を前記裏面部と前記表面部との間に差し込んで鏡載せ部へ載置してミラーキャビネット本体へ固定することを要旨とする。
【発明の効果】
【０００５】
本発明の鏡の取付構造では、鏡載せ部は、鏡の横幅方向全域に亘って設けられているため、取付状態で鏡の下端とミラーキャビネット本体との間に隙間が生じないものとなり、意匠性が向上し、隙間にゴミが入り込むことも無い。
また、該鏡載せ部の前面は、鏡を鏡載せ部へ載置した状態で鏡と面一になるよう設定されているため、表面部の存在しない部分は、鏡の表面と固定部材が面一になるため、ゴミが溜まる水平面が少なくなり、ゴミが溜まりにくく、清掃性にも優れたものとなる。
【発明を実施するための最良の形態】
【０００６】
次に、本発明を実施するための最良の形態を実施例を用いて説明する。
図１は、ミラーキャビネットの正面構成図であり、ミラーキャビネット１は、キャビネット本体２の前面中央部に鏡３が設置されており、鏡３の両サイドには、トレー４，４が設けられ、トレー４の上方は収納部Ｓとなっている。この鏡３の下端は、固定部材５を介してキャビネット本体２に固定されている。
【０００７】
なお、図２は、キャビネット本体２と固定部材５の分解要部斜視構成図であり、キャビネット本体２には、中央部に縦方向に鏡３を嵌め込むことのできる鏡取付凹部２ａが形成されており、鏡取付凹部２ａの側方には、前記トレー４，４を取り付けるトレー取付部２ｃが形成され、トレー取付部２ｃの上方には、凹状に収納用凹部２ｄが形成されている。
なお、前記鏡取付凹部２ａの下端側は、本例では前面側へ下傾状の下端傾斜面２ｂとなっている。
【０００８】
鏡３を固定するための固定部材５は、図３に拡大斜視図で、また図４に正面図で、また図５に平面図で示すような構造となっている。
固定部材５は、鏡３の下端が当接する鏡載せ部５１が鏡３の横幅方向全域に亘る横長寸法に形成され、この鏡載せ部５１の後端縁から上方へ一体状に突出して裏面部５２が鏡３の横幅方向全域に亘る横長状に形成されている。この裏面部５２には、横方向に間隔をおいて３個所に孔５２ａ，５２ａ，５２ａが形成されている。
また、鏡載せ部５１の前端側の左右端には、上方へ立ち上げて一対の表面部５３，５３が一体形成されている。
なお、本例の固定部材５では、鏡載せ部５１の下面側が、キャビネット本体の下端傾斜面２ｂと同様な傾斜を有する下端傾斜面５１ａとなっている。また、鏡載せ部５１の前面５１ｂは、鏡３を鏡載せ部５１へ載置した状態で鏡３の表面と略面一になるよう設定されている。
【０００９】
このような固定部材５を用いて、鏡３の下端をキャビネット本体２の鏡取付凹部２ａに取り付ける状態を図６の要部拡大縦断面構成図に示す。
なお、取り付ける鏡３の上下高さ寸法に対応して、キャビネット本体２の鏡取付凹部２ａに後加工でビス孔６が形成される。このビス孔６は、鏡３が上下寸法の長い鏡である場合には、鏡取付凹部２ａの下端側に後加工されるものであり、鏡取付凹部２ａに取り付ける鏡が上下寸法の短いものである場合には、ビス孔６は鏡取付凹部２ａの上方部位に形成されるものである。
【００１０】
図６では、上下寸法の長い鏡３の取付状態を示しており、鏡取付凹部２ａの下端側に、固定部材５の孔５２ａと整合するビス孔６を横方向に３個所形成しておき、各ビス孔６に固定部材５の孔５２ａを整合させて、前面側より孔５２ａ内にビス７を差し込み、ビス７をビス孔６に締め付けて、鏡取付凹部２ａに固定部材５を３本のビス７，７，７で固定することができるものである。
この状態で、鏡３の下端を固定部材５の鏡載せ部５１上に当接させて鏡３を設置すると、前面側の左右一対の表面部５３，５３が鏡３の前面左右端側に当接し、良好に鏡３の前面を押さえ付けることができて、鏡３の下端が良好に固定されるものである。
なお、鏡３の上端は周知の方法でミラーキャビネット本体２に固定されるものである。
【００１１】
本発明の鏡３の取付構造では、鏡載せ部５１は、鏡３の横幅方向全域に亘って設けられているため、取付状態で鏡３の下端とミラーキャビネット本体２との間に隙間が生じないものとなり、意匠性が向上し、隙間にゴミが入り込むことも無い。
また、鏡載せ部５１の前面５１ｂは、鏡３を鏡載せ部５１へ載置した状態で鏡３と略面一になるよう設定されているため、表面部５３の存在しない部分は、鏡３の表面と固定部材５が略面一になるため、ゴミが溜まる水平面が少なくなり、ゴミが溜まりにくく、清掃性にも優れたものとなる。
【００１２】
また、固定部材５は、現場等で簡単に現合でビス孔６を形成させて、キャビネット本体２の任意の位置に取り付け固定でき、設置する鏡３の寸法に良好に対応させることができるものであり、従来のような横長状の孔をキャビネット本体２に予め形成させておく必要がなく、加工も容易なものとなる。
【図面の簡単な説明】
【００１３】
【図１】ミラーキャビネットの正面構成図である。
【図２】キャビネット本体と固定部材の分解要部斜視構成図である。
【図３】固定部材の拡大斜視構成図である。
【図４】固定部材の正面図である。
【図５】固定部材の平面図である。
【図６】固定部材を用いて鏡をキャビネット本体に取り付ける状態の要部拡大縦断面構成図である。
【符号の説明】
【００１４】
１  ミラーキャビネット
２  キャビネット本体
２ａ  鏡取付凹部
３  鏡
５  固定部材
５１  鏡載せ部
５１ｂ  鏡載せ部の前面
５２  裏面部
５２ａ  孔
５３  表面部
【図１】
0005178150.tif 000002
【図２】
0005178150.tif 000003
【図３】
0005178150.tif 000004
【図４】
0005178150.tif 000005
【図５】
0005178150.tif 000006
【図６】
0005178150.tif 000007